(57)【要約】【課題】トリートメントしようとする部位に簡便に装着できるようにする。【解決手段】装置本体部の長手方向の中心線上に設けられた一対のスライド溝に、それぞれ一対の導子用パッドの端子を回動自在に保持するパッド取付用駒を、スライド自在に装着させるようにしたことにより、一対の導子用パッドの間隔及び向きを必要に応じて調整できることによってユーザが一対の導子用パッドをトリートメントしようとする身体の部位に容易に装着することができる。【選択図】図３
0003117911.tif 000002
【実用新案登録請求の範囲】
【請求項１】
装置本体部から一対の導子用パッドに低周波電流を供給する低周波導子装置であって、
上記装置本体部の長手方向の中心線上に設けられた一対のスライド溝と、
それぞれ上記一対の導子用パッドに設けられた端子を挟着保持するパッド取付孔部を有し、かつそれぞれ上記一対のスライド溝にスライド自在に装着された一対のパッド取付用駒と
を具え、上記一対の導子用パッドは、上記端子を上記パッド取付用駒の上記パット取付孔部に回動自在に挟着保持されることにより、上記一対のパッド取付用駒のスライド動作に応じて上記一対のスライド溝におけるスライド位置を調整できると共に、上記パッド取付孔部を中心にして回動位置を調整できる
ことを特徴とする低周波導子装置。
【請求項２】
上記導子用パッドは断面円形の端子を有すると共に、上記パッド取付孔部は内部に６枚の可撓性金属板をほぼ正六角形状に配設してなる接続具を具える
ことを特徴とする請求項１に記載の低周波導子装置。
【考案の詳細な説明】
【技術分野】
【０００１】
本考案は低周波導子装置に関し、特に身体の皮膚表面から低周波電流を流すことにより筋肉を収縮運動させる美容器具に適用して好適なものである。
【背景技術】
【０００２】
従来、身体の皮膚表面から低周波導子を介して低周波パルス電流を流すことにより、筋肉を収縮運動させ、これにより皮下脂肪の燃焼効果や、マッサージ効果などを得る（これをトリートメント処理と呼ぶ）ようにした美容器具が提案されている（特許文献１参照）。
【特許文献１】特開２００２−１３６６０７公報
【考案の開示】
【考案が解決しようとする課題】
【０００３】
この種の美容器具を美容専門店ではなく一般家庭用に使用しようとする場合、当該美容器具の取扱者、すなわち一般ユーザが専門的知識がなくとも、身体のうちトリートメント処理をしようとする部位に電流を流すための低周波導子を簡易かつ的確に装着し得るものであれば、一段と効果的なトリートメント効果を得ることができると考えられる。
【０００４】
本考案は以上の点を考慮してなされたもので、ユーザが装着したい身体の部位に、低周波導子を的確に装着できるようにした低周波導子装置を提案するものである。
【課題を解決するための手段】
【０００５】
かかる課題を解決するため本考案においては、装置本体部２から一対の導子用パッド３Ａ、３Ｂに低周波電流を供給する低周波導子装置１であって、装置本体部２の長手方向の中心線上に設けられた一対のスライド溝１３Ａ、１３Ｂと、それぞれ一対の導子用パッド３Ａ、３Ｂに設けられた端子２３Ａ、２３Ｂを挟着保持するパッド取付孔部２１を有し、かつそれぞれ一対のスライド溝１３Ａ、１３Ｂにスライド自在に装着された一対のパッド取付用駒１４Ａ、１４Ｂとを具え、一対の導子用パッド３Ａ、３Ｂは、端子２３Ａ、２３Ｂをパッド取付用駒１４Ａ、１４Ｂのパット取付孔部２１に回動自在に挟着保持されることにより、一対のパッド取付用駒１４Ａ、１４Ｂのスライド動作に応じて一対のスライド溝１４Ａ、１４Ｂにおけるスライド位置を調整できると共に、パッド取付孔部２１を中心にして回動位置を調整できるようにする。
【考案の効果】
【０００６】
本考案によれば、装置本体部の長手方向の中心線上に設けられた一対のスライド溝に、それぞれ一対の導子用パッドの端子を回動自在に保持するパッド取付用駒を、スライド自在に装着させるようにしたことにより、一対の導子用パッドの間隔及び向きを必要に応じて調整することによってユーザが一対の導子用パッドをトリートメントしようとする身体の部位に容易に装着することができる。
【考案を実施するための最良の形態】
【０００７】
以下図面について、本考案の一実施の形態を詳述する。
【０００８】
図１において、１は全体として低周波導子装置を示し、装置本体部２の底面に一対の導子用パッド３Ａ及び３Ｂを装着した構成を有する。
【０００９】
装置本体部２は、図２（Ａ）及び（Ｂ）に示すように、平面外径形状が縦長の長楕円形状を有する舟形状のケース１１を有し、ケース１１の縦長の底外表面にパッドスライド機構１２が設けられている。
【００１０】
パッドスライド機構１２は、図３に示すように、ケース１１の底外表面に取り付けられたスライド板１３と、そのスライド溝１３Ａ及び１３Ｂに摺動（スライド）自在に嵌め込まれたパッド取付用駒１４Ａ及び１４Ｂとを有する。
【００１１】
スライド溝１３Ａ及び１３Ｂは、ケース１１の底外表面において、その長手方向の中心線Ｌ１上に、長手方向の中央部分からそれぞれ両外方に向かってスライド板１３上に形成されている。
【００１２】
これによりパッド取付用駒１４Ａ及び１４Ｂは、それぞれスライド溝１３Ａ及び１３Ｂに案内されながら、当該スライド溝１４Ａ及び１４Ｂの全長のうち任意のスライド位置に位置決めできるようになされている。
【００１３】
パッド取付用駒１４Ａ及び１４Ｂは、図４に示すように、下面の中央位置に断面円形のパッド取付孔部２１が穿設され、このパッド取付孔部２１の内部に６枚の可撓性金属片でなる接続具２２が設けられている。
【００１４】
接続具２２は各可撓性金属片をパッド取付孔部２１の内面に沿ってほぼ正六角形となるように対称的に配設した構成を有し、これにより導子用パッド３Ａ及び３Ｂの円柱形状の端子２３Ａ及び２３Ｂがパッド取付孔部２１に嵌め込まれたとき、当該可撓性金属片がその弾発力によって端子２３Ａ及び２３Ｂの外表面に押し付けるように接触する。
【００１５】
かくして導子用パッド３Ａ及び３Ｂの端子２３Ａ及び２３Ｂはパッド取付孔部２１に嵌め込まれたとき、接続具２２の各可撓性金属片の弾発力によって、電気的に接触保持されると共に、機械的に着脱自在に狭着保持される。
【００１６】
導子用パッド３Ａ及び３Ｂは、図５（Ａ）、（Ｂ）及び（Ｃ）に示すように、可撓性を有する円板状の絶縁性樹脂材料でなる表面部材３１を有し、表面部材３１上の一縁部の偏心した位置に形成された台部３２の上表面から、端子２３Ａ及び２３Ｂが、上方に突出するように設けられている。
【００１７】
表面部材３１の下面外周には、円環状突縁３３が形成され、この円環状突縁３３に囲まれた凹部３４内に可撓性導電性樹脂材料でなるパッド本体３５が形成され、当該パッド本体３５に対して台部３２を貫通した端子２３Ａ及び２３Ｂの下端部が電気的に導通するように埋め込まれている。
【００１８】
かくして端子２３Ａ及び２３Ｂが絶縁性表面部材３１を貫通して導電性パッド本体３５に電気的に接続されている。
【００１９】
表面部材３１の下面を構成する円環状突縁３３及びパッド本体３５の下面には、導電性を有する円板状の粘着ゲル部材３６が設けられ、当該粘着ゲル部材３６をトリートメント処理すべき身体の皮膚表面に付着させたとき、端子２３Ａ及び２３Ｂがパッド本体３５及び粘着ゲル部材３６を通じて身体の皮膚に電気的に接続できるようになされている。
【００２０】
以上の構成において、低周波導子装置１を使用する際には、図３に示すように、ユーザは装置本体部２と別体に用意されている導子用パッド３Ａ及び３Ｂを、その端子２３Ａ及び２３Ｂを装置本体部２のパッドスライド機構１２に設けられているパッド取付用駒１４Ａ及び１４Ｂのパッド取付孔部２１に嵌め込むことにより、導子用パッド３Ａ及び３Ｂを装置本体部２と一体に組み立てる。
【００２１】
この状態において、導子用パッド３Ａ及び３Ｂの端子２３Ａ及び２３Ｂは、可撓性金属片でなる接続具２２によって、回動自在な状態で狭着保持されていることにより、端子２３Ａ及び２３Ｂ、従って導子用パッド３Ａ及び３Ｂが、パッド取付用駒１４Ａ及び１４Ｂの接続具２２に電気的に接続した状態で回動できる状態にある。
【００２２】
これに加えて、パッド取付用駒１４Ａ及び１４Ｂは、スライド溝１３Ａ及び１３Ｂに対して装置本体部２の長手方向にスライド自在に保持されていることにより、当該スライド溝１３Ａ及び１３Ｂの任意の位置に位置決めできる状態にある。
【００２３】
そこで、ユーザは、導子用パッド３Ａ及び３Ｂが取り付けられているパッド取付用駒１４Ａ及び１４Ｂを長手方向の所望の位置に位置決めできると共に、当該パッド取付用駒１４Ａ及び１４Ｂに対して導子用パッド３Ａ及び３Ｂの向きを回動調整することにより、導子用パッド３Ａ及び３Ｂ間の間隔及び装置本体部２に対する向きを必要に応じて任意に調整することができる。
【００２４】
その結果トリートメント処理しようとする身体の部位に応じて導子用パッド３Ａ及び３Ｂ間の間隔や、導子用パッド３Ａ及び３Ｂの向きを、以下に述べるように、簡便かつ適切に調整することができる。
【００２５】
図６（Ａ）及び（Ｂ）は導子用パッド３Ａ及び３Ｂの使用態様を示し、装置本体部２の長手方向の中心線Ｌ１と、導子用パッド３Ａ及び３Ｂの中心点を結ぶ中心線Ｌ２とが重なり合うように、導子用パッド３Ａ及び３Ｂを長手方向に向くような回動位置に回動させる。
【００２６】
図６（Ａ）の場合は、パッド取付用駒１４Ａ及び１４Ｂを、スライド溝１３Ａ及び１３Ｂの中心方向の内側端部に互いに寄り合うようにスライドさせるのに対して、図６（Ｂ）の場合は、パッド取付用駒１４Ａ及び１４Ｂをスライド溝１３Ａ及び１３Ｂの長手方向の外側端部に互いに離れるようにスライドさせた状態で使用する。
【００２７】
この使用態様は、身体のうち比較的平面的な部位に装着する場合の単純な使用の仕方で、装置本体部２の表面に設けられている動作操作子を操作し易い、標準的な使用態様である。
【００２８】
この実施の形態の場合、装置本体部２のケース１１の上側表面中央部には、図２に示すように、電源スイッチ１１Ａが、その操作面をケース１１の表面と一致させるような状態でケース１１に埋め込むように設けられている。
【００２９】
またこれに加えてケース１１の電源スイッチ１１Ａと隣り合う中央部分の左及び右側半部にそれぞれ穿設された操作溝１１Ｂ１及び１１Ｂ２内に、操作面を突出させるように、電流調節用ボリューム１１Ｃ１及び１１Ｃ２が設けられている。
【００３０】
図６（Ａ）及び（Ｂ）の標準的な使用態様によれば、ユーザは片手で装置本体部２のケース１１を把持した状態で当該把持した手の指で、表面に設けられた操作子、すなわち電源スイッチ１１Ａ並びにボリューム１１Ｃ１及び１１Ｃ２を、容易に操作することができる。
【００３１】
またこの使用態様において、ユーザが、導子用パッド３Ａ及び３Ｂの一方又は両方についてそのスライド溝１３Ａ及び１３Ｂに対するスライド位置を任意に選定すれば、長手方向の中心線Ｌ１方向の導子用パッド３Ａ及び３Ｂ間の間隔を容易に変更し直すことができ、これによりユーザがトリートメント処理したい身体の部位に容易に位置合せすることができる。
【００３２】
図７（Ａ）及び（Ｂ）は、図６（Ａ）及び（Ｂ）について上述したように長手方向の中心線Ｌ１上にパッド取付用駒４Ａ及び４Ｂによって位置決めした導子用パッド３Ａ及び３Ｂの向きを、パッド取付用駒４Ａ及び４Ｂを中心として時計方向に回動させて使用する場合で、このとき導子用パッド３Ａ及び３Ｂの中心線Ｌ２は、装置本体部２のケース１１の長手方向の中心線Ｌ１に対して時計方向に回動偏位される。
【００３３】
また図８（Ａ）及び（Ｂ）は、図６（Ａ）及び（Ｂ）の使用態様に対して、導子用パッド３Ａ及び３Ｂの向きを、パッド取付用駒４Ａ及び４Ｂを中心として、反時計方向に回動させて使用する場合で、このとき導子用パッド３Ａ及び３Ｂの中心線Ｌ２は、ケース１１の長手方向の中心線Ｌ１に対して反時計方向に回動偏位される。
【００３４】
図７及び図８いずれの場合においても、パッド取付用駒４Ａ及び４Ｂをケース１１の長手方向の中心線Ｌ１上の任意の位置に位置決めすることにより、導子用パッド３Ａ及び３Ｂの端子２３Ａ及び２３Ｂ間の間隔を任意に調整できると共に、導子用パッド３Ａ及び３Ｂの向きを任意に調整することができることにより、導子用パッド３Ａ及び３Ｂを装着しようとする身体の部位の表面形状が平坦ではなく凹凸があるような場合であっても、これに適応するような位置関係に導子用パッド３Ａ及び３Ｂを配置することができる。
【００３５】
かくするにつき、ケース１１として表面の操作子の操作がし難くならないように、導子用パッド３Ａ及び３Ｂの位置関係を容易に調整することができる。
【００３６】
以上の構成によれば、装置本体部２、従ってケース１１に対して導子用パッド３Ａ及び３Ｂの位置及び向きを調節することができることにより、導子用パッド３Ａ及び３Ｂを、トリートメントしようとする身体の部位の形状や、位置に簡便に適合させることができる。
【産業上の利用可能性】
【００３７】
本考案は、身体の表面から低周波電流を流す美容機器に利用できる。
【図面の簡単な説明】
【００３８】
【図１】本考案の実施の形態による低周波導子装置を示す平面図である。
【図２】（Ａ）及び（Ｂ）は図１の装置本体部の詳細構成を示す平面図及び正面図である。
【図３】装置本体部のパッドスライド機構の詳細構成を示す斜視図である。
【図４】パッド取付用駒の詳細構成を示す底面図である。
【図５】（Ａ）、（Ｂ）及び（Ｃ）は導子用パッドを示す平面図、縦断面図及び底面図である。
【図６】（Ａ）及び（Ｂ）は低周波導子装置の使用態様を示す平面図である。
【図７】（Ａ）及び（Ｂ）は低周波導子装置の使用態様を示す平面図である。
【図８】（Ａ）及び（Ｂ）は低周波導子装置の使用態様を示す平面図である。
【符号の説明】
【００３９】
１……低周波導子装置、２……装置本体部、３Ａ、３Ｂ……導子用パッド、１１……ケース、１１Ａ……電源スイッチ、１１Ｂ１、１１Ｂ２……操作溝、１１Ｃ１、１１Ｃ２……ボリューム、１２……パッドスライド機構、１３……スライド板、１３Ａ、１３Ｂ……スライド溝、１４Ａ、１４Ｂ……パッド取付用駒、２１……パッド取付孔部、２２……接続具、２３Ａ、２３Ｂ……端子、３１……表面部材、３３……円環状突縁、３４……凹部、３５……パッド本体、３６……粘着ゲル部材。
【図１】
0003117911.tif 000003
【図２】
0003117911.tif 000004
【図３】
0003117911.tif 000005
【図４】
0003117911.tif 000006
【図５】
0003117911.tif 000007
【図６】
0003117911.tif 000008
【図７】
0003117911.tif 000009
【図８】
0003117911.tif 000010